(57)【要約】【課題】商品の精算作業時にショッピングカートが動くことを抑制できるチェックアウトカウンターを提供する。【解決手段】商品の精算作業を行う作業台２と、作業台２の上流側に配設されるカゴ置き台３と、を備えたチェックアウトカウンター１であって、カゴ置き台３を、作業台２の上流側の第１位置と、作業台２の上流側にショッピングカート１０が進入可能なスペースを形成するように第１位置よりも客から離れる方向にずれた第２位置と、の間で移動させる移動機構４を備えている。【選択図】図１
2018195048.tif 000002
【特許請求の範囲】
【請求項１】
商品の精算作業を行う作業台と、前記作業台の上流側に配設されるカゴ置き台と、を備えたチェックアウトカウンターであって、
前記カゴ置き台を、前記作業台の上流側の第１位置と、前記作業台の上流側にショッピングカートが進入可能なスペースを形成するように前記第１位置よりも客から離れる方向にずれた第２位置と、の間で移動させる移動機構を備えていることを特徴とするチェックアウトカウンター。
【請求項２】
前記作業台と前記第２位置に移動した前記カゴ置き台とにより角部が形成されることを特徴とする請求項１に記載のチェックアウトカウンター。
【請求項３】
前記第１位置にある前記カゴ置き台の上面は、前記作業台の上面と略同一の高さに位置していることを特徴とする請求項１または２に記載のチェックアウトカウンター。
【請求項４】
前記カゴ置き台は、床面から立設するベース体と、前記ベース体に対してスライド移動可能に支持される天板と、を備えていることを特徴とする請求項１ないし３のいずれかに記載のチェックアウトカウンター。
【請求項５】
前記天板の上面には、前記ショッピングカートの押し込みを促す表示部が設けられていることを特徴とする請求項１ないし４のいずれかに記載のチェックアウトカウンター。
【請求項６】
前記カゴ置き台を前記第１位置にロック可能なロック機構を有することを特徴とする請求項１ないし５のいずれかに記載のチェックアウトカウンター。
【発明の詳細な説明】
【技術分野】
【０００１】
本発明は、商品の精算作業を行うチェックアウトカウンターに関する。
【背景技術】
【０００２】
スーパーマーケット等の店舗には、客と店員とを隔てるように配置され、客が購入する商品の精算作業を行うためのチェックアウトカウンターが設置されている。一般的なチェックアウトカウンターは、長机状に構成されており、長手方向の一端側から他端側に沿って客の動線が形成されており、客はチェックアウトカウンターの上流側に買い物カゴを置き、店員は買い物カゴ内の商品をレジで読取り、該商品をチェックアウトカウンターの下流側に配置された空の買い物カゴに収容し、チェックアウトカウンターの下流側において商品の受け渡しや代金の支払いなどを行うようになっている。
【０００３】
特許文献１に開示されているチェックアウトカウンターは、上流側から下流側に向けて延びる作業台と、作業台の上面よりも一段低く上流側に延びるカゴ置き台とを備えており、カゴ置き台は長手方向に移動可能となっており、下流側に押されることで作業台の下方に収容されるようになっている。このチェックアウトカウンターは、通常時においてカゴ置き台が作業台の長手方向に突出する位置に配置されており、買い物カゴを手持ちで運ぶ客は、作業台の長手方向に突出したカゴ置き台の上部に買い物カゴを載置して上記精算作業を行うことができるようになっている。また、買い物カゴをショッピングカートで運ぶ客は、カゴ置き台の端部にショッピングカートの先端を当接させ、作業台の下方にカゴ置き台を押し込むことで、作業台の側方にショッピングカートを近付けて配置して、買い物カゴをショッピングカートに載せたまま、精算作業を行うことができるようになっている。
【先行技術文献】
【特許文献】
【０００４】
【特許文献１】特許第５９０７５３７号公報（第７頁、第５図）
【発明の概要】
【発明が解決しようとする課題】
【０００５】
しかしながら、特許文献１のチェックアウトカウンターにあっては、ショッピングカートに買い物カゴを載置した状態で商品の精算作業を行う場合には、店員が買い物カゴから商品を取出す際に該商品が買い物カゴに引っ掛かり、これによりショッピングカートが店員側に動いてしまうことがあり、商品の精算作業が煩雑であった。
【０００６】
本発明は、このような問題点に着目してなされたもので、商品の精算作業時にショッピングカートが動くことを抑制できるチェックアウトカウンターを提供することを目的とする。
【課題を解決するための手段】
【０００７】
前記課題を解決するために、本発明のチェックアウトカウンターは、
商品の精算作業を行う作業台と、前記作業台の上流側に配設されるカゴ置き台と、を備えたチェックアウトカウンターであって、
前記カゴ置き台を、前記作業台の上流側の第１位置と、前記作業台の上流側にショッピングカートが進入可能なスペースを形成するように前記第１位置よりも客から離れる方向にずれた第２位置と、の間で移動させる移動機構を備えていることを特徴としている。
この特徴によれば、移動機構によりカゴ置き台を第１位置から第２位置に移動させることにより、作業台の上流側にショッピングカートが進入可能なスペースが形成される構造であることから、作業台の上流側のスペースに対してショッピングカートを配置した際に、該ショッピングカートよりも客から離れる側に配置されたカゴ置き台によりショッピングカートが客から離れる方向に移動することを規制できる。
【０００８】
前記作業台と前記第２位置に移動した前記カゴ置き台とにより角部が形成されることを特徴としている。
この特徴によれば、作業台と第２位置に移動したカゴ置き台とが交差して形成された角部によりショッピングカートが少なくとも２カ所で位置規制されるため、ショッピングカートを作業台の上流側に安定して位置決めできる。
【０００９】
前記第１位置にある前記カゴ置き台の上面は、前記作業台の上面と略同一の高さに位置していることを特徴としている。
この特徴によれば、第１位置にあるカゴ置き台と作業台との間で買い物カゴをスライド移動させることができる。
【００１０】
前記カゴ置き台は、床面から立設するベース体と、前記ベース体に対してスライド移動可能に支持される天板と、を備えていることを特徴としている。
この特徴によれば、天板をスライド移動させればよいため、天板を第１位置と第２位置との間を小さい力で操作させることができる。
【００１１】
前記天板の上面には、ショッピングカートの押し込みを促す表示部が設けられていることを特徴としている。
この特徴によれば、表示部は板状の天板の上面に設けられるため、客から視認されやすく、天板をスライドさせて使用することを促進できる。
【００１２】
前記カゴ置き台を前記第１位置にロック可能なロック機構を有することを特徴としている。
この特徴によれば、ロック機構によりカゴ置き台をロック状態とすることでカゴ置き台が意図せずに移動することを防止できる。
【図面の簡単な説明】
【００１３】
【図１】（ａ）は実施例１において天板が第１位置にあるチェックアウトカウンターを斜め前から見た斜視図、（ｂ）は実施例１において天板が第２位置にあるチェックアウトカウンターを斜め前から見た斜視図である。
【図２】チェックアウトカウンターの構造を示す背面図である。
【図３】（ａ）はロック機構のロック状態を示す要部拡大斜視図、ロック機構のロック解除状態を示す要部拡大斜視図である。
【図４】（ａ）は実施例１において天板が第１位置にあるカゴ置き台を示す側断面図、（ｂ）実施例１において天板が第２位置にあるカゴ置き台を示す側断面図である。
【図５】ショッピングカートを作業台の側方に配置した状態を示す正面斜視図である。
【図６】（ａ）は実施例２において天板が第１位置にあるカゴ置き台を斜め前から見た斜視図、実施例２において天板が第２位置にあるカゴ置き台を斜め前から見た斜視図である。
【図７】実施例２において天板が第１位置から第２位置に移動する様子を示す側面図である。
【図８】（ａ）は実施例３において天板が第１位置にあるカゴ置き台を斜め前から見た斜視図、実施例３において天板が第２位置にあるカゴ置き台を斜め前から見た斜視図である。
【発明を実施するための形態】
【００１４】
本発明に係るチェックアウトカウンターを実施するための形態を実施例に基づいて以下に説明する。
【実施例１】
【００１５】
実施例１に係るチェックアウトカウンターにつき、図１から図５を参照して説明する。以下、図２の紙面手前側をチェックアウトカウンターの背面側（後方側、店員側のスペースＳ２側）とし、チェックアウトカウンターの前面側から見て左右方向をチェックアウトカウンターの左右方向として説明する。
【００１６】
図１に示されるように、本実施例のチェックアウトカウンター１は、スーパーマーケット等の店舗で商品の代金精算を行う際に用いられるものであり、客側のスペースＳ１と店員側のスペースＳ２とを隔てるように設置されている。一般的にスーパーマーケット等の店舗では、チェックアウトカウンター１が前後方向に離間して複数並列して配置されている。尚、本実施例では、そのうちの１つのチェックアウトカウンター１を例に取り説明する。
【００１７】
本実施例のチェックアウトカウンター１のスペースＳ１側（前面側）には、一方側の端部（左側）から他方側の端部（右側）に向けて客の動線Ｌ（図１の白矢印）が形成されている。つまり、チェックアウトカウンター１の一方側の端部が客の移動方向上流側となっており、他方側の端部が客の移動方向下流側となっている。
【００１８】
このチェックアウトカウンター１は、店員が商品の精算作業を行うための作業台２と、作業台２よりも上流側の側方に配置されるカゴ置き台３と、カゴ置き台３の天板３２をスライド移動させる移動機構４と、を主に備えている。
【００１９】
図１及び図２に示されるように、作業台２は、床面から立設する作業ベース体２１と、作業ベース体２１の上端に支持される平板状の作業板２２と、から構成されている。作業ベース体２１は、左右方向に離間して対向するように床面上に配置される側板２３Ｌ，２３Ｒと、側板２３Ｌ，２３Ｒの前面側に渡って架設される前面板２４と、側板２３Ｌ，２３Ｒの後方側上端を連結する上部連結杆２５と、側板２３Ｌと側板２３Ｒとの間を上下に区画するように架設される棚板２６，２７，２８と、を有している。また、側板２３Ｌ，２３Ｒ、前面板２４、及び上部連結杆２５は、平面視において略矩形状のフレーム（図示略）を成しており、該フレーム上に作業板２２がボルトナットなどで固定されている。
【００２０】
側板２３Ｌ，２３Ｒの下端には、アジャスタ７が配設されており、このアジャスタ７を操作することで作業板２２の高さ位置や水平度を調整できるようになっている。また、前面板２４の下方には、前面板２４と床面との間を閉塞するように巾木２９が側板２３Ｌと側板２３Ｒとの間に架設されており、これら前面板２４及び巾木２９により、作業板２２の下方領域が客側から見えないようになっている。
【００２１】
また、棚板２６，２７，２８上には、例えば、精算作業に用いる備品などを載置できるようになっており、且つ作業ベース体２１の店員側（後面側）は開放されているため、店員は棚板２６，２７，２８上から備品を出し入れできるようになっている。尚、本実施例では、棚板２６，２７，２８により側板２３Ｌと側板２３Ｒとの間を上下に３段区画していたが、上下２段または４段以上に区画されていてもよいし、左右方向に区画してもよいし、区画しなくてもよい。
【００２２】
作業板２２の上面の上流側には、商品の識別情報（バーコードなど）を読取るための読取装置５が配設されており、作業板２２の上面の下流側には、買い物カゴ６を載置可能な載置領域Ｚとなっている。
【００２３】
カゴ置き台３は、床面から立設するベース体３１と、ベース体３１に対し移動機構４を介して前後方向にスライド移動可能に支持される平板状の天板３２と、から構成されている。ベース体３１は、作業台２における側板２３Ｌよりも左側に離間して対向するように床面上に配置される側板３３と、側板２３Ｌと側板３３との前面側に渡って架設される幕板３４と、側板２３Ｌと側板３３との上端部よりも所定寸法低い位置において架設される上部連結板３５と、床面から所定寸法高い位置で側板２３Ｌと側板３３とに架設される棚板３６と、を有している。すなわち、ベース体３１の一部に作業台２の側板２３Ｌを兼用しているため、部品点数を減らすことができる。
【００２４】
幕板３４の上端縁３４ａは、上部連結板３５の上面３５ａと略同一高さに配置されており、幕板３４の下端縁３４ｂは、棚板３６の下面３６ａと略同一高さに配置されている。詳しくは、図４（ａ）に示されるように、幕板３４の上端縁３４ａ及び上部連結板３５の上面３５ａは、床面から高さ寸法Ｈ１分上方の位置に配置されており、幕板３４の下端縁３４ｂ及び棚板３６の下面３６ａは、床面から高さ寸法Ｈ３分上方の位置に配置されている。また、幕板３４の前面には、金属製の横長の保護板３７が固定されている。
【００２５】
図１及び図２に戻って、移動機構４は、側板２３Ｌと側板３３との上端部（幕板３４の上端縁３４ａ及び上部連結板３５の上面３５ａよりも高い位置）に対向して設置される伸縮可能な伸縮部材４１Ｌ，４１Ｒにより構成されている。伸縮部材４１Ｌは、側板２３Ｌ側に固定される前後方向に延びる第１レール４２と、第１レール４２に対しスライド移動可能に取付けられる第２レール４３と、を有し、該伸縮部材４１Ｌは、第２レール４３の移動領域を除いてカバー部材４４により被覆されている（図３参照）。尚、伸縮部材４１Ｒは、伸縮部材４１Ｌと略同一構成であるため、伸縮部材４１Ｒの構造の説明を省略する。
【００２６】
天板３２の左右側の下面には、前後方向に延びる板状部材３２ａ，３２ａが固定されており、板状部材３２ａ，３２ａの左右外側面に伸縮部材４１Ｌ，４１Ｒの各第２レール４３が固定されている。したがって、前後方向に略水平に天板３２がスライド移動可能となっている。詳しくは、天板３２は、作業台２の作業板２２における上流側の側方に近接する第１位置（図１（ａ）参照）と、第１位置から店員側のスペースＳ２側にずれた第２位置（図１（ｂ）参照）と、の間で移動可能となっている。
【００２７】
図１（ａ）及び図４（ａ）に示されるように、天板３２が第１位置にある状態にあっては、作業台２の作業板２２の上面とカゴ置き台３の天板３２の上面とが略同一の高さに位置し、この天板３２にも買い物カゴ６を載置できるため、作業板２２の上流側に買い物カゴ６を載置可能な載置領域Ｚが延長されている。客が買い物カゴ６を手持ちで運搬する際には、第１位置にある天板３２に買い物カゴ６を載置する（図示略）。尚、天板３２及び作業板２２の高さは、店員が屈むことなく精算作業（天板３２及び作業板２２間での商品の移載作業）を好適に行うことができる高さ（例えば、７０ｃｍ）に設定されている。
【００２８】
図１（ｂ）及び図４（ｂ）に示されるように、天板３２が第２位置にある状態にあっては、作業台２の側板２３Ｌとカゴ置き台３の幕板３４（詳しくは保護板３７）とにより平面視略直角を成す角部Ｃ１が形成されているとともに、天板３２の前端縁３２ｂと作業板２２の左端縁２２ａとにより平面視略直角の角部Ｃ２（図１（ｂ）のみ図示）が形成されている。尚、天板３２の前端縁３２ｂと作業板２２の左端縁２２ａとの間に隙間が形成されない。後述のように、客がショッピングカート１０で買い物カゴ６を運搬する際には、天板３２を第２位置に移動させ、作業台２の上流側の側方にショッピングカート１０のカゴ載置部１５を配置する。尚、第１位置は、移動機構４による天板３２の可動範囲の最前方位置であり、第２位置は、移動機構４による天板３２の可動範囲の最後方位置である。
【００２９】
また、天板３２の前端縁３２ｂ側の下面には、天板３２が第１位置にある状態において天板３２と幕板３４の上端縁３４ａとの間を閉塞する化粧板３８が板状部材３２ａ，３２ａ間に架設されており、これにより客側から移動機構４が見えにくくなっているため、美観が向上している。尚、側板３３の下端には、アジャスタ７が配設されており、作業板２２に対する天板３２の水平度を調整できる。
【００３０】
また、天板３２の上面には、ショッピングカート１０の押し込みを促すラベルシールＬＳ（表示部）が貼着されている。詳しくは、ラベルシールＬＳの上面には、ショッピングカート１０の押し込み方向を示す矢印や、図５で×××××で示す文章（例えば、「買い物を載せたままカートを台の奥まで押し入れてください。」など）が印刷表示されている。
【００３１】
図２の拡大部及び図３に示されるように、天板３２の右側（作業台２側）における背面側下方には、天板３２のスライド移動を規制するロック状態と、天板３２のスライド移動を許容するロック解除状態と、に切換え操作可能なロック機構８が設けられている。ロック機構８は、下方に突片８２を有するストッパ部材８１と、上部連結板３５に設けられた長孔８３（図３（ｂ）参照）と、長孔８３の周囲を保護する保護部材８４と、から主に構成されている。
【００３２】
図３に示されるように、ストッパ部材８１は、金属製の板を折り曲げて形成されており、縦方向に延びる垂直部８１ａと、垂直部８１ａの上端から横方向（左方向）に延びる水平部８１ｂと、を備え、垂直部８１ａの下方に突片８２が形成されている。また、垂直部８１ａには、縦方向に延びるスリット８１ｃが形成されており、スリット８１ｃを介してネジＮ，Ｎを作業台２側の板状部材３２ａにねじ込むことで、スリット８１ｃがネジＮ，Ｎの軸部にガイドされてストッパ部材８１が上下方向に移動可能に取付けられる。また、突片８２における後端面は、略垂直に延びる垂直面８２ａになっており、突片８２における垂直面８２ａよりも前側の面は前方から後方にかけて漸次下方に傾斜する傾斜面８２ｂとなっている。
【００３３】
長孔８３は、突片８２を挿入可能な大きさに形成されている。保護部材８４は、金属製の板を折り曲げて形成されており、上部連結板３５の後面に沿って延びる垂直部８４ａと、垂直部８４ａの上端から上部連結板３５の上面に沿って延びる水平部８４ｂと、を備え、水平部８４ｂは、長孔８３の周縁部を覆うように配置され、該水平部８４ｂの中央部には、長孔８３と適合する位置に長孔８４ｃが形成されている（図３（ｂ）参照）。この垂直部８４ａにより上部連結板３５の後面が補強されているとともに、水平部８４ｂにより長孔８３の周縁部が補強されている。
【００３４】
図３（ａ）に示されるように、天板３２が第１位置にある状態においては、ストッパ部材８１が自重により下がっており、これにより突片８２が長孔８３及び長孔８４ｃに差し込まれ、突片８２の垂直面８２ａが長孔８３及び長孔８４ｃの後端縁に接触することで天板３２がロック状態となり、天板３２のスライド移動が規制される。
【００３５】
図３（ｂ）に示すように、天板３２がロック状態から店員がストッパ部材８１の水平部８１ｂに指をかけ上方側に持ち上げる操作を行うことにより、突片８２が長孔８３及び長孔８４ｃから抜け出し、天板３２がロック解除状態となり、天板３２が第２位置に向けてスライド移動可能となる。
【００３６】
尚、図示しないが、天板３２を第２位置から第１位置にスライド移動させる際には、ストッパ部材８１の傾斜面８２ｂが自重により水平部８４ｂと同じ高さ位置に下がっているため、突片８２が保護部材８４の垂直部８４ａと水平部８４ｂのエッジ部に接触した後、傾斜面８２ｂによりストッパ部材８１が漸次押し上げられ、突片８２が保護部材８４の垂直部８４ａに干渉して天板３２の第２位置から第１位置へのスライド移動を阻害しない。このように、天板３２を第２位置から第１位置にスライド移動させる際には、店員はストッパ部材８１を操作する必要がないため、操作性に優れる。
【００３７】
次に、買い物カゴ６を運搬するショッピングカート１０について図４に基づいて説明する。図４（ａ）に示されるように、客が利用するショッピングカート１０は、車輪１１，１１，…（キャスター部）を備えた下方台車部１２と、下方台車部１２の進行方向後側（図４における紙面右側）の両側から上方に延びる支柱１３，１３と、支柱１３，１３の上端を繋ぐ把持部１４と、支柱１３，１３における所定の高さ位置に設けられるカゴ載置部１５と、から主に構成されており、カゴ載置部１５及び下方台車部１２にそれぞれ買い物カゴ６を載置できるようになっている。尚、下方台車部１２の進行方向前側（図４における紙面左側）には、立設するストッパ部１６が設けられ、下方台車部１２に載置した買い物カゴ６が進行方向前側に落下することを規制している。
【００３８】
前述のように、カゴ置き台３における幕板３４の上端縁３４ａ及び上部連結板３５の上面３５ａは、床面から高さ寸法Ｈ１分上方の位置に配置されている。一方、ショッピングカート１０におけるカゴ載置部１５の底部における最下端部は、高さ寸法Ｈ１よりも大きな高さ寸法Ｈ２分床面から上方の位置に配置されている（Ｈ１＜Ｈ２）。換言すれば、幕板３４の上端縁３４ａ及び上部連結板３５の上面３５ａは、カゴ載置部１５の最下端部よりも低い位置に配置されている。
【００３９】
また、前述のように、幕板３４の下端縁３４ｂ及び棚板３６の下面３６ａは、床面から高さ寸法Ｈ３分上方の位置に配置されている。一方、ショッピングカート１０における下方台車部１２の最上端部（ストッパ部１６の上端部）は、高さ寸法Ｈ３よりも小さな高さ寸法Ｈ４分床面から上方の位置に配置されている（Ｈ３＞Ｈ４）。換言すれば、幕板３４の下端縁３４ｂ及び棚板３６の下面３６ａは、下方台車部１２の最上端部よりも高い位置に配置されている。
【００４０】
すなわち、図４（ｂ）及び図５に示されるように、天板３２を第２位置に移動させた状態にあっては、客側のスペースＳ１から店員側のスペースＳ２に向けてショッピングカート１０を進行させることにより、幕板３４及び上部連結板３５の上方の領域にショッピングカート１０のカゴ載置部１５を配置でき、幕板３４及び棚板３６の下方の領域にショッピングカート１０の下方台車部１２を配置できる。つまり、天板３２を客側の第１位置から店員側の第２位置に移動させることにより、作業台２の側方にショッピングカート１０が進入可能なスペースが形成される。
【００４１】
尚、カゴ置き台３における天板３２の上面は、ショッピングカート１０におけるカゴ載置部１５の底部よりも高い位置になっており、天板３２が第１位置にある状態にあっては、作業台２の側方にショッピングカート１０が進入不能となっている。
【００４２】
作業台２の側方にショッピングカート１０を進入させた状態で商品の精算作業を行う場合には、店員がカゴ載置部１５に載置される買い物カゴ６から商品を取出し、読取装置５に読取らせる作業を行う。店員が買い物カゴ６から商品を取出す際には、例えば、商品が買い物カゴ６に引っ掛かり、ショッピングカート１０に店員側のスペースＳ２に向けて移動する力が働く虞がある。
【００４３】
本実施例のチェックアウトカウンター１にあっては、移動機構４によりカゴ置き台３の天板３２がスペースＳ１側の第１位置からスペースＳ２側の第２位置に向けて移動し、天板３２が第２位置に移動したことによって形成されたベース体３１の上部空間にショッピングカート１０のカゴ載置部１５を配置する構成であり、店員が買い物カゴ６から商品を取出す際に商品が買い物カゴ６に引っ掛かり、ショッピングカート１０に店員側のスペースＳ２に向けて移動させる力が働いたとしても、ベース体３１の一部を構成する幕板３４に固定される保護板３７にショッピングカート１０の支柱１３，１３が接触する。つまり、作業台２の側方にショッピングカート１０を配置しても、該ショッピングカート１０よりもスペースＳ２側にカゴ置き台３が配置され、該カゴ置き台３によりショッピングカート１０がスペースＳ２側へ移動することが規制される。
【００４４】
また、剛性を有する保護板３７にショッピングカート１０の支柱１３，１３が接触することから、幕板３４に破損することを抑制できる。
【００４５】
また、天板３２がスペースＳ１側の第１位置からスペースＳ２側の第２位置にスライド移動することで作業台２における作業板２２の側方にショッピングカート１０のカゴ載置部１５を配置できる構造であることから、チェックアウトカウンター１の左右寸法が変化しない。さらに、客側のスペースＳ１から店員側のスペースＳ２に向けてショッピングカート１０を進行させることにより、ショッピングカート１０を作業台２の側方に配置させるようになっている。具体的には、側板３３により、側板３３側から作業台２に向けてショッピングカート１０を進行させることが規制されている。したがって、カゴ置き台３の上流側の側方に商品棚などを近付けて配置できるため、カゴ置き台３の上流側の側方の空間を有効に利用できる。
【００４６】
また、天板３２が第１位置と第２位置との間で略水平方向に移動するため、天板３２が第２位置にある状態にあっても、天板３２上に買い物カゴ６を載置できる（図４（ｂ）参照）。具体的には、ショッピングカート１０のカゴ載置部１５と下方台車部１２にそれぞれ買い物カゴ６を載置している場合に、先ず、店員または客が下方台車部１２の買い物カゴ６を第１位置にある天板３２上に載置し、天板３２を第２位置にスライド移動させ、その後ショッピングカート１０を作業台２の側方に配置することで、カゴ載置部１５と下方台車部１２にそれぞれ載置した買い物カゴ６の精算作業を行うことができる。
【００４７】
また、天板３２が第２位置にある状態にあっては、作業台２の側板２３Ｌとカゴ置き台３の幕板３４とにより平面視略直角を成す角部Ｃ１が形成されており、角部Ｃ１によりショッピングカート１０が側板２３Ｌと幕板３４（詳しくは保護板３７）との２カ所で位置規制されるため、ショッピングカート１０を作業台２の上流側の側方に安定して位置決めできる。また、角部Ｃ１を基準としてショッピングカート１０を配置することができるため、ショッピングカート１０を作業台２側に寄せた適正位置に配置しやすい。
【００４８】
また、天板３２が第２位置にある状態にあっては、天板３２の前端縁３２ｂと作業板２２の左端縁２２ａとにより平面視略直角の角部Ｃ２が形成されており、天板３２と作業板２２とが左右方向に近接しており、且つ前後方向に離間しないため、天板３２をスライド移動させる操作時に指などを挟む虞がない。
【００４９】
また、第１位置に移動した天板３２の上面は、作業板２２の上面と略同一の高さに配置されていることから、天板３２から作業板２２の下流側に買い物カゴ６を移載させる際に、買い物カゴ６を持ち上げることなくスライドさせることができるため、作業性が向上する。
【００５０】
また、天板３２がベース体３１に対してスライド移動する構成であるため、カゴ置き台３の可動部の重量を小さくでき、天板３２を第１位置と第２位置との間で小さい力で操作させることができる。
【００５１】
また、天板３２の上面には、ショッピングカート１０の押し込みを促すラベルシールＬＳが貼着されているため、客から視認されやすく、天板３２をスライドさせて使用することを促進できる。尚、ショッピングカート１０の押し込みを促す表示部は、ラベルシールＬＳに限られず、自由に変更することができる。
【００５２】
また、天板３２が第１位置にある状態でロック機構８により天板３２のスライド移動が規制されるため、買い物カゴ６を手持ちで運搬する客が第１位置にある天板３２に買い物カゴ６を載置した際に、買い物カゴ６を載置した衝撃により天板３２が意図せずに第２位置に向けて移動することを防止できる。
【００５３】
また、ロック機構８は、スペースＳ２側に設けられているため、客の状況に応じて店員の判断で天板３２のロック状態及びロック解除状態を安全に切換えることができる。言い換えれば、店員が天板３２を操作するため、客に負担を掛けずに天板３２を第１位置から第２位置に変更できるとともに、客の誤操作などにより天板３２のロック状態が解除されることを防止できる。
【００５４】
尚、本実施例では、幕板３４に固定される保護板３７にショッピングカート１０の支柱１３，１３が接触する形態を例示したが、幕板３４、保護板３７、上部連結板３５及び棚板３６等の構成を省略して、側板２３Ｌと側板３３との間にショッピングカート１０が進入するようになっていてもよい。この場合であっても、ショッピングカート１０よりもスペースＳ２側に天板３２が配置され、該天板３２の前端縁３２ｂと作業板２２の左端縁２２ａとの２カ所（角部Ｃ２）で位置規制されるため、ショッピングカート１０を作業台２の上流側の側方に安定して位置決めできる。すなわち、ショッピングカート１０がスペースＳ２側へ移動することを規制できる。
【００５５】
また、ロック機構８は、本実施例の形態に限られず自由に変更できる。例えば、第１位置において天板３２の位置をロックするように天板３２と側板２３Ｌとを接続するネジ等であってもよい。
【実施例２】
【００５６】
次に、実施例２に係るカゴ置き台につき、図６及び図７を参照して説明する。尚、前記実施例と重複する構成の説明を省略する。
【００５７】
図６及び図７に示されるように、実施例２のチェックアウトカウンター１００におけるカゴ置き台３００のベース体３０１は、左右に離間して配置される前後方向に延びる杆状の脚部材３０３Ｌ，３０３Ｒと、脚部材３０３Ｌの左面の前後両端に一端が回動可能に取付けられる回動杆材３０４Ｌ，３０４Ｌと、脚部材３０３Ｒの左面の前後両端に一端が回動可能に取付けられる回動杆材３０４Ｒ，３０４Ｒと、回動杆材３０４Ｌ，３０４Ｌの間及び回動杆材３０４Ｒ，３０４Ｒの間にそれぞれ架設される架設部材３０５Ｌ，３０５Ｒと、脚部材３０３Ｌ，３０３Ｒの間を左右方向に連結する連結部材３０６と、脚部材３０３Ｌ，３０３Ｒの前後中間位置から上方に立設する立設部材３０７Ｌ，３０７Ｒと、から主に構成されている。脚部材３０３Ｒは、ボルトナットなどにより側板２３Ｌの左面に固定されている。
【００５８】
回動杆材３０４Ｌ，３０４Ｌ及び回動杆材３０４Ｒ，３０４Ｒの各他端は、天板３２の板状部材３２ａ，３２ａに対し回動可能に接続されている。また、架設部材３０５Ｌ，３０５Ｒは、その両端が回動杆材３０４Ｌ，３０４Ｌ及び回動杆材３０４Ｒ，３０４Ｒに対して回動可能に接続されている。
【００５９】
図６（ａ）及び図７の実線部分に示されるように、天板３２が第１位置に配置された状態において、スペースＳ２側の回動杆材３０４Ｌ，３０４Ｒに立設部材３０７Ｌ，３０７Ｒがそれぞれ当接し、天板３２がそれ以上スペースＳ１側に移動しないようになっている。尚、このとき、図示しない規制手段により天板３２がスペースＳ２側に移動しないようになっていることが好ましい。
【００６０】
天板３２が第１位置に配置された状態から該天板３２に対しスペースＳ２側への力を加えると、図７の二点鎖線部分に示されるように、回動杆材３０４Ｌ，３０４Ｌ及び回動杆材３０４Ｒ，３０４Ｒが一端（下端）側を中心に回動し、天板３２が漸次スペースＳ２側に移動し、天板３２が第２位置に配置される（図６（ｂ）参照）。すなわち、回動杆材３０４Ｌ，３０４Ｌ及び回動杆材３０４Ｒ，３０４Ｒが、天板３２を第１位置と第２位置との間で移動させる移動機構として機能している。
【００６１】
天板３２が第２位置に配置された状態において、スペースＳ１側の回動杆材３０４Ｌ，３０４Ｒに立設部材３０７Ｌ，３０７Ｒがそれぞれ当接し、天板３２がそれ以上スペースＳ２側に移動しないようになっている。天板３２が第２位置に配置された状態にあっては、作業台２の側方にショッピングカート１０を進入させることができる。
【００６２】
また、回動杆材３０４Ｌ，３０４Ｌ及び回動杆材３０４Ｒ，３０４Ｒの各他端（上端）は、天板３２の板状部材３２ａ，３２ａに対し回動可能に接続されているため、天板３２が略水平方向を向いた状態（買い物カゴ６を載置可能な状態）を維持したまま、第１位置と第２位置との間を移動することができる。
【実施例３】
【００６３】
次に、実施例３に係るカゴ置き台につき、図８を参照して説明する。尚、前記実施例と重複する構成の説明を省略する。
【００６４】
図８に示されるように、実施例３におけるチェックアウトカウンター１０１は、床面上を第１位置と第２位置とに走行可能なカゴ置き台３１０を備えている。カゴ置き台３１０は、下部に車輪３１１，３１１，…を備えた平面視矩形状の枠体３１２と、枠体３１２の角部から上方に立設する支柱（図示略）と、隣接する前記支柱間を塞ぐように取付けられる幕板３１３，３１３，…とを備え、前記支柱の上端部に天板３２が固定されている。
【００６５】
作業台２の左側方には、前後方向に延びるレール４０１Ｌ，４０１Ｒが床面上に左右方向に離間して固定されている。レール４０１Ｌ，４０１Ｒの前端は、作業台２の前端と左右方向に並んだ位置に配置されており、レール４０１Ｌ，４０１Ｒの後端は、作業台２の後端よりもスペースＳ２側に延びている。尚、レール４０１Ｌ，４０１Ｒの前端及び後端には、ストッパ部材が設けられている（図示略）。
【００６６】
レール４０１Ｌ，４０１Ｒ上には、車輪３１１，３１１，…が載置されるようになっている。すなわち、カゴ置き台３１０は、レール４０１Ｌ，４０１Ｒによりガイドされながら、天板３２が作業台２の側方の第１位置（図８（ａ）参照）と、天板３２が作業台２の側方からスペースＳ２側にずれた第２位置（図８（ｂ）参照）と、に走行可能となっている。すなわち、レール４０１Ｌ，４０１Ｒ及び車輪３１１，３１１，…がカゴ置き台３１０を第１位置と第２位置との間で移動させる移動機構として機能している。
【００６７】
尚、レール４０１Ｌ，４０１Ｒの前端及び後端には、ストッパ部材が設けられているため、カゴ置き台３１０が第１位置よりもスペースＳ１側に移動することが規制されるとともに、カゴ置き台３１０が第２位置よりもスペースＳ２側に移動することが規制される。
【００６８】
以上、本発明の実施例を図面により説明してきたが、具体的な構成はこれら実施例に限られるものではなく、本発明の要旨を逸脱しない範囲における変更や追加があっても本発明に含まれる。
【００６９】
例えば、実施例においては、天板３２が略水平方向を向いた状態を維持したまま、第１位置と第２位置との間を移動することができる形態を例示したが、これに限定されるものではなく、天板が第１位置に配置された状態で略水平方向を向いていれば、天板が第２位置に配置された状態において略垂直方向を向くようになっていてもよい。この場合であっても、ショッピングカート１０よりもスペースＳ２側に天板３２が配置され、該天板３２によりショッピングカート１０がスペースＳ２側へ移動することを規制できる。
【００７０】
また、前記実施例においては、天板３２が左右で両持ち支持される形態を例示したが、天板３２が第１位置と第２位置とで移動可能となっていれば、例えば、作業台２側にブラケットなどを介して片持ち支持されていてもよい。また、前記実施例１において、作業台２に対して天板３２が片持ち支持される他の一例として、例えば、天板３２が上下方向に延びる軸を中心に回動可能に作業台２に対して片持ち支持されていてもよい。この場合、ショッピングカート１０は前方のみならず左方（上流）側からも作業台２の上流側の側方にアクセスすることができる。
【００７１】
また、前記実施例において、天板３２が第１位置から店員（スペースＳ２）側の第２位置に移動する形態を例示したが、カゴ置き台のカゴ載置部が第１位置から客から離れる方向（後方向）に移動するものであれば、店員を介さずに客自身が精算作業を行うセルフレジ方式のチェックアウトカウンターに適用してもよい。
【符号の説明】
【００７２】
１                チェックアウトカウンター
２                作業台
３                カゴ置き台
４                移動機構
６                買い物カゴ
８                ロック機構
１０              ショッピングカート
１２              下方台車部
１５              カゴ載置部
２３Ｌ            側板
３１              ベース体
３２              天板
１００，１０１    チェックアウトカウンター
３００            カゴ置き台
３１０            カゴ置き台
Ｃ２              角部
【図１】
2018195048.tif 000003
【図２】
2018195048.tif 000004
【図３】
2018195048.tif 000005
【図４】
2018195048.tif 000006
【図５】
2018195048.tif 000007
【図６】
2018195048.tif 000008
【図７】
2018195048.tif 000009
【図８】
2018195048.tif 000010